(57)【特許請求の範囲】
【請求項１】
携帯情報機器であって、前記携帯情報機器は、処理手段と、第１の記憶手段と、第１の無線通信手段と、前記携帯情報機器の設置状況を検出する状況検出手段とを備え、
前記処理手段は、前記状況検出手段の出力情報を基に、前記携帯情報機器の設置状況が正常か異常を判断し、
前記処理手段が前記携帯情報機器の設置状況が異常と判断した場合、前記第１の無線通信手段は、前記第１の記憶手段に記憶されているデータを予め定められた装置に送信し、
前記予め定められた装置に送信が開始出来ない場合、あるいは送信が中断した場合、前記第１の記憶手段に記録されているデータを消去する、
携帯情報機器。
【請求項２】
前記携帯情報機器は本体装置と端末装置より構成され、
前記本体装置は、前記処理手段と、前記第１の記憶手段と、前記第１の無線通信手段と、前記状況検出手段とを備え、
前記状況検出手段は前記本体装置の設置状況を検出し、
前記端末装置は、表示手段と、第２の無線通信手段とを備え、
前記処理手段が前記本体装置の設置状況を異常と判断した場合、前記第１の無線通信手段は、更に、異常を示すメッセージを前記第２の無線通信手段に送信し、
前記端末装置は、前記第２の無線通信手段が受信した異常を示すメッセージを前記表示部に表示する、請求項１記載の携帯情報機器。
【請求項３】
前記端末装置は、更に第２の記憶手段を備え、
前記予め定められた装置は前記端末装置であり、
前記端末装置は受信した前記第１の記憶装置のデータを前記第２の記憶装置に記憶する、請求項２記載の携帯情報機器。
【請求項４】
前記状況検出手段は、前記携帯情報機器の自らの位置を測位する測位手段、前記携帯情報機器の加速度を検出する加速度検出手段、前記携帯情報機器の振動を検出する振動検出手段、前記携帯情報機器の傾きを検出する傾き検出手段、の少なくとも一つを備える請求項１乃至請求項３記載の携帯情報機器。
【請求項５】
前記予め定められた装置へ、前記第１の記憶手段に記憶されているデータの送信が終了した時、
前記第１の記憶手段に記録されているデータは消去される、請求項１乃至請求項４記載の携帯情報機器。
【請求項６】
前記本体装置は、更に、自らの位置を測位する第１の測位手段を備え、
前記端末装置は、更に、自らの位置を測位する第２の測位手段を備え、
前記第２の無線通信手段は、前記第２の測位手段により測位された前記端末装置の位置情報を前記本体装置に送信し、
前記状況検出手段は、前記第１の無線通信手段で受信した前記端末装置の位置情報と前記第１の測位手段により測位した前記本体装置の位置情報から、前記端末装置と前記本体装置の位置関係の変化情報を出力する、請求項２または請求項３記載の携帯情報機器。
【請求項７】
前記第１の記憶手段に記憶されているデータに、優先度情報とデータ選択情報の少なくとも一つの付加情報が付加され、
前記第１の無線通信手段は、前記第１の記憶手段に記憶されているデータを、
前記付加情報に従って前記予め定められた装置に送信する、請求項２または請求項３記載の携帯情報機器。
【請求項８】
前記端末装置は、更に、利用者が入力操作できる入力手段を備え、
前記入力手段に入力された操作データを前記第２の無線通信手段により、前記第１の無線通信手段に送信し、
前記本体装置は、前記第１の無線通信手段で受信した操作データに従って処理した処理データを、前記第１の無線通信手段により、前記第２の無線通信手段に送信し、
前記端末装置は、前記第２の無線通信手段で受信した前記処理データに対応する画像データを作成して、前記表示手段に表示する、請求項２または請求項３記載の携帯情報機器。
【請求項９】
前記端末装置に、利用者が入力操作できる入力手段を備え、
前記入力手段に入力された操作データを前記第２の無線通信手段により、前記第１の無線通信手段に送信し、
前記本体装置は、前記第１の無線通信手段で受信した操作データに従って処理したデータに対応する画像データを作成して、前記第１の無線通信手段により、前記第２の無線通信手段に送信し、
前記端末装置は、前記第２の無線通信手段で受信した画像データを、前記表示手段に表示する、請求項２または請求項３記載の携帯情報機器。
【請求項１０】
情報携帯機器の設置状況の情報を検出し、検出した設置状況の情報より、設置状況が正常であるか異常であるかを判定し、異常と判定した場合、前記情報携帯機器の記憶手段に記憶されているデータを、予め定められた装置に無線により送信し、
前記予め定められた装置にデータの送信が開始できない場合、あるいはデータの送信が中断した場合に、前記記憶手段に記憶されているデータを消去するステップを備える、情報携帯機器のデータ退避方法。
【請求項１１】
情報携帯機器の設置状況の情報は、前記情報携帯機器を構成する本体装置の設置状況の情報である、請求項１０記載のデータ退避方法。
【請求項１２】
前記携帯情報機器は本体装置と端末装置より構成され、前記本体装置の設置状況が異常であると判定した場合、前記本体装置は、前記端末装置に異常を示すメッセージを無線で送信するステップを備える、請求項１０または請求項１１記載のデータ退避方法。
【請求項１３】
前記予め定められた装置は、前記端末装置である、請求項１２記載のデータ退避方法。
【請求項１４】
前記予め定められた装置にデータの送信が完了したとき、前記記憶手段に記憶されているデータを消去するステップを備える、請求項１０乃至請求項１３記載のデータ退避方法。
【発明の詳細な説明】
【０００１】
【発明の属する技術分野】
本発明は、無線を利用して他の情報処理装置とデータ通信を行う携帯情報機器、あるいは携帯情報機器を構成する画像表示装置とデータ処理装置の間で無線を利用してデータ通信を行う携帯情報機器、及びそのデータ退避方法に関するものである。
【０００２】
【従来の技術】
従来、携帯情報機器が盗難・紛失等にあった場合、内部に重要なデータは残ったままになり、情報の機密保持ができない。また、重要なデータが紛失することにもなる。
【０００３】
これに対して、特開２００１−２８７８２号公報に開示された装置は、所定の領域外、例えば無線の圏外、に携帯情報機器が存在することを検知した場合、携帯情報機器内の記憶装置の情報を消去するものである。
【０００４】
【発明が解決しようとする課題】
しかしながら、上記従来の携帯情報機器においては、利用者が誤って携帯情報機器を圏外に持ち出しただけでも情報が消去されてしまう。また、データは消去されるため、機密は保持されるが、やはり重要データを紛失してしまうことになる。
【０００５】
本発明は上記問題点に鑑みてなされたものであり、盗難・紛失状況等を判定でき、盗難・紛失状況下等では、まず可能な限り重要データのバックアップを行い、バックアップが完了するか、バックアップが不可能な状態になり次第データを消去することで、盗難・紛失時等のデータ退避と機密保持が可能な携帯情報機器を提供することを目的とする。
【０００６】
また、ＰＣのディスプレイ・本体間を無線接続し、ディスプレイ部を携帯できるようにした機器（以降、ワイヤレスディスプレイＰＣと記載する）形態、あるいは携帯する操作装置（例えばリモコン等）で離れた箇所のパソコンを制御する形態においては、利用者がＰＣ本体側を携帯せず、車中等、利用者から離れた場所に放置されることがある。この場合に利用者の目の届かないＰＣ本体側が盗難・紛失等にあった際のデータ退避と機密保持を可能とすることも目的とする。
【０００７】
【課題を解決するための手段】
上記目的を達成するために本発明の携帯情報機器は、各種制御を実行する処理手段と、データを記憶する記憶手段と、記記憶手段のデータを無線により通信する無線通信手段と、携帯情報機器本体が盗難・紛失等をされようとしている状況にあることを処理手段が判定できる情報を出力する状況検出手段を備えることにより、盗難・紛失等をされようとする状況を検出したときに、記憶する重要データを無線通信により送信・退避でき、送信が完了した場合、あるいは携帯情報機器本体が圏外に達するなどでデータ退避ができなくなった場合に携帯情報機器内のデータを消去できるように構成したことを特徴とするものである。
【０００８】
この構成により、携帯情報機器が盗難・紛失等にあった場合でも、可能な限りのデータの退避と機密保持が可能になる。
【０００９】
【発明の実施の形態】
以下、本発明の実施の形態を、図面を用いて詳細に説明する。
【００１０】
（実施の形態１）
図１は本発明の実施の形態１に係る携帯情報機器の概略ブロック図である。
【００１１】
図１において、処理手段１０１は、記憶手段１０２、無線通信手段１０３、状況検出手段１０４に接続され、各手段に対し制御を実行する。記憶手段１０２は処理手段１０１の処理対象データや処理結果データを記憶する。無線通信手段１０３は他の情報処理装置と無線通信を行う。状況検出手段１０４は携帯情報機器の設置状況を検出し出力する。処理手段１０１は、状況検出手段１０４の出力により、携帯情報機器の設置状況が正常な状況か異常な状況かを、判定する。この判定により、携帯情報機器が、例えば盗難・紛失等をされようとする状況かどうかを判断できる。
【００１２】
図２は本発明の実施の形態１に係る携帯情報機器のブロック図である。
【００１３】
処理手段１０１はＣＰＵ２０１により構成される。メモリ２０２と２次記憶装置２０３は共に記憶手段１０２を構成している。メモリ２０２はＣＰＵ２０１で処理されるコードや処理データを一時的に記憶する。ＨＤＤやフラッシュメモリにより構成される２次記憶装置２０３は、処理結果のデータ等を長期的に記憶する。
【００１４】
無線通信手段１０３である無線部２０４は、他の情報処理装置（図示せず）と、無線通信を行う。本実施の形態では、無線通信に例えばＩＥＥＥ８０２．１１の技術を用いることができる。
【００１５】
センサ２０５とＧＰＳモジュール２０６は、状況検出手段１０４を構成している。センサ２０５は、図示していないが、加速度センサ、振動センサ、傾きセンサより構成されている。センサ２０５は、携帯情報機器自体にかかる加速度の変化と、携帯情報機器自体の振動、および携帯情報機器自体の傾きの変化が検出される。これらのセンサは一般的な方式のセンサを用いることができる。ＧＰＳモジュール２０６は衛星を利用した測位を行い、携帯情報機器の位置を検出する。ＧＰＳモジュール２０６には一般的な方式のＧＰＳ（Global Positioning System）を用いることができる。
【００１６】
図３は本発明の実施の形態１に係る携帯情報機器の処理を表すフローチャートである。以下、図３に示すフローチャートにしたがって、本実施の形態を説明する。
【００１７】
ステップ３０１では、携帯情報機器は、その設置状況が正常か異常かを判定する状況監視モードに入る。状況監視モードに入るには、利用者が携帯情報機器を操作してモード切替を行っても、初期状態から携帯情報機器が状況監視モードにあっても構わない。状況監視モードで携帯情報機器は、センサ２０５、ＧＰＳモジュール２０６を動作させ、ＣＰＵ２０１は、センサ２０５やＧＰＳモジュール２０６の出力を監視する。
【００１８】
ステップ３０２では、ＣＰＵ２０１は、センサ２０５の出力があるかどうかを判定する。センサ２０５の出力をＣＰＵ２０１が検出した場合、ステップ３０３−３０５の処理を行う。検出しない場合は、ステップ３０６へ移行する。
【００１９】
ステップ３０３−３０５では、各々のステップで、加速度センサの出力、振動センサの出力、傾きセンサの出力をチェックする。そして次のステップ３０７へ移行する。
【００２０】
ステップ３０６では、ＧＰＳモジュール２０６の出力する位置情報を確認する。携帯情報機器の位置が変化していなければ、ステップ３０２に戻り、センサ２０５とＧＰＳモジュール２０６による監視を継続する。携帯情報機器の位置が変化している場合、ステップ３０７へ進む。
【００２１】
ステップ３０７では、ＧＰＳモジュール２０６の出力する位置情報をチェックし、ステップ３０８へ進む。
【００２２】
ステップ３０８では、センサ２０５出力のチェック結果やＧＰＳモジュール２０６の出力した位置情報のチェック結果に基づいて、現在、携帯情報機器の設置状況が正常か異常かを判定する。加速度、振動、傾き変化に関するチェックでは、事前に想定した範囲を超えているかどうかを判定する。位置情報に関するチェックでは、事前に想定した領域以外に移動していないかどうかを判定する。これらの判定結果を基に、携帯情報機器の設置状況が正常か異常かを判断する。
【００２３】
正常と判断した場合は、ステップ３０２へ戻り、異常であると判断した場合は次のステップ３０９へ進む。
【００２４】
ステップ３０９では、メモリ２０２、２次記憶装置２０３上のデータのうち、事前に利用者が設定した優先情報や範囲情報の付加情報に基づいて決定される重要データを、無線部２０４経由で、予め指定された他の装置に送信を始める。すなわちデータの退避を始める。
【００２５】
ここで、携帯情報機器のデータ管理方式がファイルシステムの場合、優先情報として、例えばファイルのタイムスタンプの新しさに基づき、個々のファイルに対し優先順位が付加されている。また、範囲情報が、例えば、特定のファイル、特定のディレクトリ内の全ファイルに付加されている。
【００２６】
ステップ３１０では、通信状況を監視する。
【００２７】
ステップ３０９での、退避が開始できない場合や、退避途中で通信が中断した場合はステップ３１２へ進む。例えば、無線通信状態を確認し、退避先の装置の位置が通信圏外であれば、ステップ３１２へ進む。
【００２８】
ステップ３１１では、退避が完了すればステップ３１２へ進み、退避中であればステップ３１０に戻る。
【００２９】
ステップ３１２では、メモリ２０２および二次記憶装置２０３内のデータを消去する。この場合、メモリ２０２および二次記憶装置２０３内のデータ全てを消去せず、重要データだけを消去しても構わない。
【００３０】
本実施の形態の携帯情報機器と、データ退避先である他の情報処理装置との間の無線通信は、直接の通信、アクセスポイントを経由した通信、あるいは無線公衆回線を経由した通信のいずれの構成も可能である。但し、ステップ３１０で通信状態を確認する時、アクセスポイント経由の構成の場合、アクセスポイントの位置が圏外であることを、無線公衆回線経由の構成の場合、無線公衆回線の基地局の圏外であることを、利用する。また、アクセスポイント経由の場合のアクセスポイントと他の情報処理装置の接続、および無線公衆回線経由の他の情報処理装置と公衆回線の接続は、無線、有線のいずれの構成も可能である。
【００３１】
（実施の形態２）
実施の形態２において、携帯情報機器はワイヤレスディスプレイＰＣ(Personal Computer)の形態をとる。
【００３２】
図４は本発明の実施の形態２に係る携帯情報機器、すなわちワイヤレスディスプレイＰＣの構成を示す図である。
【００３３】
図４において、ワイヤレスディスプレイＰＣの本体であるデータ処理装置４０１は、実際にデータを処理し、処理結果として画像データを作成する。ワイヤレスディスプレイＰＣの携帯端末である画像表示装置４０２は、データ処理装置４０１が作成した画像データを無線経由で受信し、それを表示する。
【００３４】
データ処理装置４０１の処理手段であるＣＰＵ４０３は、メモリ４０４、２次記憶装置４０５、無線部４０６、センサ４０７及びＧＰＳモジュール４０８と接続され、それらに対する制御を実行する。メモリ４０４と２次記憶装置４０５はデータ処理装置４０１の記憶手段であり、ＣＰＵ４０３の処理対象データや処理結果データを記憶する。特にメモリ４０４はＣＰＵ４０３で処理されるコードや処理データを一時的に記憶する。２次記憶装置４０５はＨＤＤやフラッシュメモリであり、処理結果のデータ等を長期的に記憶する。
【００３５】
無線部４０６はデータ処理装置４０１の無線通信手段であり、画像表示装置４０２との間で無線通信を行う。本実施の形態では、無線通信に例えばＩＥＥＥ８０２．１１の技術を用いることができる。
【００３６】
センサ４０７とＧＰＳモジュール４０８は、データ処理装置４０１の設置状況を検出して出力する状況検出手段である。センサ４０７は、図示していないが、加速度センサ、振動センサ、傾きセンサより構成される。そしてセンサ４０７は、携帯情報機器自体にかかる加速度の変化、携帯情報機器自体の振動、携帯情報機器の傾きの変化を検出する。本実施の形態では、各種センサには一般的なセンサを用いても構わない。ＧＰＳモジュール４０８は衛星を利用した測位を行い、携帯情報機器の位置を検出する。ＧＰＳとして一般的な方式のＧＰＳを用いて構わない。
状況検出手段の出力によって、ＣＰＵ４０３は、データ処理装置４０１の設置状況が正常な状況か異常な状況かを判定する。この判定により、データ処理装置４０１が、例えば盗難・紛失等をされようとする状況かどうかを判断できる。
【００３７】
ＣＰＵ４０９は画像表示装置４０２の処理手段である。ＣＰＵ４０９はメモリ４１０、２次記憶装置４１１、無線部４１２、入力部４１３、表示部４１４およびＧＰＳモジュール４１５と接続され、それら対する制御を実行する。メモリ４１０と２次記憶装置４１１は画像表示装置４０２の記憶手段であり、ＣＰＵ４０９の処理対象データや処理結果データを記憶する。特にメモリ４１０はＣＰＵ４０９で処理されるコードや処理結果データを記憶する。２次記憶装置４１１はフラッシュメモリ等であり、処理結果のデータ等を長期的に記憶する。
【００３８】
無線部４１２は画像表示装置４０２の無線通信手段であり、データ処理装置４０１との間で無線通信を行う。入力部４１３はタッチパネルやボタンであり、ワイヤレスディスプレイＰＣに対する操作を利用者が入力するのに用いる。
【００３９】
表示部４１４はＬＣＤ等であり、データ処理装置４０１で作成され画像表示装置４０２に無線経由で送信されてきた画面画像を表示したり、画像表示装置４０２内で作成した警告画像などを表示する。
【００４０】
ＧＰＳモジュール４１５は画像表示装置側の測位手段であり、画像表示装置４０２の位置を検出する。
【００４１】
図５は本発明の実施の形態２に係る携帯情報機器、すなわちワイヤレスディスプレイＰＣの外観を示す図である。
【００４２】
図５に示すように、本実施の形態における携帯端末である画像表示装置４０２は、外観上、その前面に表示部４１４、利用者が操作する操作ボタン５０４およびタッチパネル５０５が構成されている。操作ボタン５０４、タッチパネル５０５は入力部４１３を構成する。
【００４３】
図６Ａ、６Ｂは本発明の実施の形態２に係る携帯情報機器、すなわちワイヤレスディスプレイＰＣの処理を表すフローである。以下、図６Ａ、６Ｂに示すフローチャートにしたがって、本実施の形態を説明する。
【００４４】
ステップ６０１では、ワイヤレスディスプレイＰＣのデータ処理装置４０１は、その設置状況が正常であるか異常であるかを判定できる状況監視モードに入る。
【００４５】
状況監視モードに入るには、利用者がタッチパネル５０５、または操作ボタン５０４を操作してモード切替を行っても、初期状態からデータ処理装置４０１が状況監視モードにあっても構わない。状況監視モードでデータ処理装置４０１は、センサ４０７、ＧＰＳモジュール４０８を動作させ、ＣＰＵ４０３は、センサ４０７やＧＰＳモジュール４０８の出力を監視する。
【００４６】
ステップ６０２では、ＣＰＵ４０３はセンサ４０７の出力があるかどうかを判定する。センサ４０７の出力をＣＰＵ４０３が検出した場合、ステップ６０３ − ６０５の処理を行う。検出しない場合は、ステップ６０６へ移行する。
【００４７】
ステップ６０３からステップ６０５では、  各々のステップで、加速度センサの出力、振動センサの出力、傾きセンサの出力をチェックする。そして次のステップ６０７へ移行する。
【００４８】
ステップ６０６では、ＧＰＳモジュール４０８の出力する位置情報を確認する。本体であるデータ処理装置４０１の位置が変化していなければ、ステップ６０２に戻り、センサ４０７とＧＰＳモジュール４０８による監視を継続する。データ処理装置４０１の位置が変化している場合、ステップ６０７へ進み、位置情報の変化をチェックする。
【００４９】
ステップ６０７では、まずデータ処理装置４０１は、無線部４０６から画像表示装置４０２に対して、画像表示装置４０２の位置遷移の送信を指示するコマンドを、送信する。そのコマンドを無線部４１２で受信した画像表示装置４０２は、ＧＰＳモジュール４１５で取得してメモリ４１０、あるいは２次記憶装置４１１に蓄積した一定時間分の自らの位置遷移の情報を、無線部４１２からデータ処理装置４０１に送信する。画像表示装置４０２の位置遷移情報を受信すると、データ処理装置４０１は、データ処理装置４０１と画像表示装置４０２各々の位置の変化及び、データ処理装置４０１と画像表示装置４０２の間の位置関係の変化を検証する。
【００５０】
なお、ここではコマンドに対して画像表示装置４０２が位置遷移情報を返す方式をとっているが、以下のような方式でも良い。すなわち、常に一定時間ごとに画像表示装置４０２が自らの位置情報をデータ処理装置４０１に送信する。そして、受信した位置情報を、データ処理装置４０１が、メモリ４０４あるいは２次記憶装置４０５に蓄積しておく。その蓄積情報に基づいて位置変化及び位置関係変化を検証する。
【００５１】
ステップ６０８では、センサ４０７出力のチェック結果やＧＰＳモジュール４０８の出力した位置情報変化のチェック結果に基づいて、現在、データ処理装置４０１の設置状況が正常か異常かを判定する。加速度、振動、傾き変化に関するチェックでは、事前に想定している範囲を越えているかどうかを判定する。位置情報変化に関するチェックでは、事前に想定した領域外に移動していないかどうかを判定する。
【００５２】
これらの判定を基に、異常であると判断した場合、ステップ６０９以降の処理に移行する。正常であると判定された場合、ステップ６０２に戻り、センサ４０７とＧＰＳモジュール４０８による監視を継続する。
【００５３】
ステップ６０９では、データ処理装置４０１が、異常であることを示す警告を、無線部４０６経由で画像表示装置４０２に通知する。その警告を無線部４１２経由で受け取った画像表示装置４０２は、表示部４１４に警告を表示する。
【００５４】
警告表示を見た利用者は、画像表示装置４０２の入力部４１３（タッチパネル５０５、あるいは操作ボタン５０４）を用いて、重要データの退避指示、及び重要データの消去指示を出すことができる。これらの指示は、無線部４１２経由でデータ処理装置４０１に通知される。
【００５５】
ステップ６１０では、データ処理部４０１は、退避指示を受信した場合ステップ６１１へ進み、退避指示を受信しなかった場合はステップ６１４に進む。
【００５６】
尚、自動的にデータ退避処理を行う設定がされている場合は、無条件にステップ６１１に移行する。
【００５７】
ステップ６１１では、メモリ４０４と２次記憶装置４０５上のデータのうち、事前に利用者が設定した優先情報や範囲情報の付加情報に基づいて決定される重要データを、無線部４０６経由で、画像表示装置４０２へ退避を開始する。
【００５８】
ここで、データ処理部４０１のデータ管理方式がファイルシステムの場合、優先情報として、例えばファイルのタイムスタンプの新しさに基づき、個々のファイルに対して優先順位が付加されている。また、範囲情報は、例えば、特定のファイル、特定のディレクトリ内の全ファイルに付加されている。
【００５９】
ステップ６１２では、通信状況を監視する。
【００６０】
ステップ６１１での、退避が開始できない場合や、退避途中で通信が中断した場合はステップ６１４へ進む。例えば、無線通信状態を確認し、退避先である画像表示装置４０２の位置が通信圏外であれば、ステップ６１４へ進む。
【００６１】
ステップ６１３では、退避が完了すればステップ６１４へ進み、退避中であればステップ６１２に戻る。
【００６２】
ステップ６１４では、重要データの消去指示が画像表示装置４０２から到着済みか否かを確認する。無線部４０６経由で、データ処理装置４０１が重要データの消去指示を受け取った場合、ステップ６１５に移行して重要データの消去を実施する。
【００６３】
また、消去指示を受けなくても自動的にデータ消去処理を行う設定がされている場合も同様にステップ６１５に移行する。
【００６４】
本実施の形態のデータ処理装置４０１と、データ退避先である画像表示装置４０２との間の無線通信は、直接の通信、アクセスポイントを経由した通信、あるいは無線公衆回線を経由した通信のいずれの構成も可能である。但し、ステップ６１２で通信状態を確認する時、アクセスポイント経由の構成の場合、アクセスポイントの位置が圏外であることを、無線公衆回線経由の構成の場合、無線公衆回線の基地局の圏外であることを利用する。
【００６５】
（実施の形態３）
実施の形態３において、携帯情報機器は小型のＰＣ本体とリモコンからなる。
【００６６】
図７は本発明の実施の形態３に係る携帯情報機器の構成を示す図である。
【００６７】
図７において、本体装置（以下ＰＣ本体と称す）７０１は、実際にデータを処理し、処理結果を結果ＩＤとして携帯型操作装置（以下リモコンと称す）７０２に送信する。リモコン７０２はＰＣ本体７０１が送信した結果ＩＤを無線経由で受信し、対応するメッセージ画像を表示する。ＣＰＵ７０３はＰＣ本体７０１の処理手段である。ＣＰＵ７０３は、メモリ７０４、２次記憶装置７０５、無線部７０６、７０７、センサ７０８およびＧＰＳモジュール７０９と接続され、それらに対する制御を実行する。メモリ７０４と２次記憶装置７０５はＰＣ本体７０１の記憶手段であり、ＣＰＵ７０３の処理対象データや処理結果データを記憶する。特にメモリ７０４はＣＰＵ７０３で処理されるコードや処理データを一時的に記憶する。２次記憶装置７０５はＨＤＤやフラッシュメモリであり、処理結果のデータ等を長期的に記憶する。無線部７０６、無線部７０７はＰＣ本体７０１の無線通信手段であり、無線部７０６はリモコン７０２と無線通信を行う。本実施の形態では、ＰＣ本体７０１とリモコン７０２の間の無線通信にＢｌｕｅｔｏｏｔｈやＩＥＥＥ８０２．１１の技術を用いることができる。また、無線部７０７は他の情報処理装置と直接、あるいは無線公衆回線経由で無線通信を行う。本実施の形態では、他の情報処理装置との間の直接の無線通信に例えばＩＥＥＥ８０２．１１の技術を用いることができる。
【００６８】
また、本実施の形態では、リモコン７０２として携帯電話やＰＨＳ端末を用いることができる。
【００６９】
センサ７０８とＧＰＳモジュール７０９はＰＣ本体７０１の設置状況を検出し出力する状況検出手段である。センサ７０８は、図示していないが、加速度センサ、振動センサ、傾きセンサより構成されている。センサ７０８は、ＰＣ本体７０１自体にかかる加速度の変化、およびＰＣ本体７０１自体の振動、ＰＣ本体７０１自体の傾きの変化を検出する。本実施の形態では、各種センサとして一般的な方式のセンサを用いることができる。ＧＰＳモジュール７０９は衛星を利用した測位を行い、ＰＣ本体７０１の位置を検出する。
【００７０】
状況検出手段の出力によって、ＣＰＵ７０３は、ＰＣ本体７０１の設置状況が正常な状況か異常な状況かを判定する。この判定により、ＰＣ本体７０１が、例えば盗難・紛失等をされようとする状況かどうかを判断できる。
【００７１】
ＣＰＵ７１０はリモコン７０２の処理手段である。ＣＰＵ７１０は、メモリ７１１、無線部７１２、入力部７１３、表示部７１４およびＧＰＳモジュール７１５と接続され、それらに対する制御を実行する。メモリ７１１はリモコン７０２の記憶手段であり、ＣＰＵ７１０で処理されるコードや処理対象データ、処理結果データを一時的に記憶する。無線部７１１はリモコン７０２の無線通信手段であり、ＰＣ本体７０１との間で無線通信を行う。入力部７１３はリモコン上に配置されたボタンであり、リモコン対する操作を利用者が入力するのに用いる。表示部７１４はＬＣＤであり、受信した結果ＩＤに対応するメッセージ画像を表示する。この結果ＩＤは、ＰＣ本体７０１で作成されてリモコン７０２に無線経由で送信される。ＧＰＳモジュール７１５はリモコン側の測位手段であり、リモコン７０２の位置を検出する。
【００７２】
図８は本発明の実施の形態３に係る携帯情報機器の外観を示す図である。
【００７３】
図８に示すように、リモコン７０２の前面に表示部７１４のＬＣＤパネル８０３および入力部７１３のボタンが配置されている。
【００７４】
実施の形態３の処理の流れは基本的に実施の形態２と同等であり、図６Ａ、６Ｂで表される。以下本実施の形態を、図６Ａ，６Ｂを参照して説明する。
【００７５】
ステップ６０１では、ＰＣ本体７０１は、その設置状況が正常であるか異常であるかを判定できる状況監視モードに入る。
【００７６】
状況監視モードに入るには、利用者がリモコン７０２の入力部７１３の操作ボタンを操作してモード切替を行っても、初期状態からＰＣ本体７０１が状況監視モードにあっても構わない。状況監視モードでＰＣ本体７０１は、センサ７０８、ＧＰＳモジュール７０９を動作させ、ＣＰＵ７０３は、センサ７０８やＧＰＳモジュール７０９の出力を監視する。
【００７７】
ステップ６０２では、ＣＰＵ７０３はセンサ７０８の出力があるかどうかを判定する。センサ７０８の出力をＣＰＵ７０３が検出した場合、ステップ６０３ − ６０５の処理を行う。検出しない場合は、ステップ６０６へ移行する。
【００７８】
ステップ６０３から６０５では、各々のステップで、加速度センサの出力、振動センサの出力、傾きセンサの出力をチェックする。そして次のステップ６０７へ移行する。
【００７９】
ステップ６０６では、ＧＰＳモジュール７０９の出力する位置情報を確認する。ＰＣ本体７０１の位置が変化していなければ、ステップ６０２に戻り、センサ７０８とＧＰＳモジュール７０９による監視を継続する。ＰＣ本体７０１の位置が変化している場合、ステップ６０７に進む。
【００８０】
ステップ６０７では、まずＰＣ本体７０１は、無線部７０６からリモコン７０２に対して、リモコン７０２の位置遷移の送信を指示するコマンドを、送信する。そのコマンドを無線部７１２で受信したリモコン７０２は、ＧＰＳモジュール７１５で取得して、メモリ７１１に蓄積した一定時間分の自らの位置遷移の情報を、無線部７１２からＰＣ本体７０１に送信する。リモコンの位置遷移情報を受信すると、ＰＣ本体７０１は、ＰＣ本体７０１とリモコン７０２の各々の位置変化及び、ＰＣ本体７０１とリモコン７０２の間の位置関係の変化を検証する。
【００８１】
なお、ここではコマンドに対してリモコン７０２が位置遷移情報を返す方式をとっているが、以下のような方式でも良い。すなわち、常に一定時間ごとにリモコン７０２が自らの位置情報をＰＣ本体７０１に送信する。そして、受信した位置情報をＰＣ本体７０１が、メモリ７０４あるいは２次記憶装置７０５に蓄積しておく。その蓄積情報に基づいて位置変化及び位置関係変化についての検証をする。
【００８２】
ステップ６０８では、センサ７０８出力のチェック結果やステップ６０７で検証した位置情報変化に基づいて、現在、ＰＣ本体７０１の設置状況が正常か異常かを判定する。加速度、振動、傾き変化に関するチェックでは、事前に想定している範囲越えているかどうかを判定する。位置情報変化に関するチェックでは、(ｉ)ＰＣ本体７０１が事前に想定した領域外に移動していないか、（ｉｉ）ＰＣ本体７０１がリモコン７０２の移動とは無関係に移動していないか、その結果、ＰＣ本体７０１とリモコン７０２の距離が事前に想定した以上に離れようとしていないかどうかを判定する。
【００８３】
これらの判定を基に、異常な状況にあると判断した場合、ステップ６０９以降の処理に移行する。正常な状況と判断された場合、ステップ６０２に戻り、センサ７０８とＧＰＳモジュール７０９による監視を継続する。
【００８４】
ステップ６０９では、  ＰＣ本体７０１が異常な状況にあることを示す警告を、無線部７０６経由で、リモコン７０２に通知する。その警告を、無線部７１２経由で受け取ったリモコン７０２は、表示部７１４に警告を表示する。
【００８５】
警告表示を見た利用者は、リモコン７０１の入力部７１３の操作ボタンを用いて、重要データの退避指示、及び重要データの消去指示を出すことができる。これらの指示は、無線部７１２経由でＰＣ本体７０１に通知される。
【００８６】
ステップ６１０では、ＰＣ本体７０１が無線部７０６経由で、退避指示を受け取った場合、ステップ６１１に移行する。退避指示を受信しなかった場合はステップ６１４に進む。
【００８７】
尚、自動的にデータ退避処理を行う設定がされている場合は、無条件にステップ６１１に移行する。
【００８８】
ステップ６１１では、メモリ７０４、２次記憶装置７０５上のデータのうち、事前に利用者が設定した優先情報や範囲情報の付加情報に基づいて決定される重要データを無線部７０７経由で、他の情報処理装置に、退避させ始める。
【００８９】
ここで、ＰＣ本体のデータ管理方式がファイルシステムの場合、優先情報として、例えば、ファイルのタイムスタンプの新しさに基づき、個々のファイルに対して優先順位が付加されている。また、範囲情報としては、例えば、特定のファイル、特定のディレクトリ内の全ファイルに付加されている。
【００９０】
ステップ６１２では、通信状況を監視する。
【００９１】
ステップ６１１で、退避が開始できない場合や、退避途中で通信が中断した場合はステップ６１４へ進む。例えば、無線通信状態を確認し、退避先である他の情報処理装置の位置が通信圏外であれば、ステップ６１４へ進む。
【００９２】
ステップ６１３では、退避が完了すればステップ６１４へ進み、退避中であればステップ６１２に戻る。
【００９３】
ステップ６１４では、重要データの消去指示がリモコン７０２から到着済みか否かを確認する。無線部７０６経由で、ＰＣ本体７０１が重要データの消去指示を受け取った場合、ステップ６１５に移行して重要データの消去を実施する。
また、消去指示を受けなくても自動的にデータ消去処理を行う設定がされている場合も同様にステップ６１５に移行する。
【００９４】
本実施の形態のＰＣ本体７０１と、データ退避先である他の情報処理装置との間の無線通信は、直接の通信、アクセスポイントを経由した通信、あるいは無線公衆回線を経由した通信のいずれの構成も可能である。但し、ステップ６１２で通信状態を確認する時、アクセスポイント経由の構成の場合、アクセスポイントの位置が圏外であることを、無線公衆回線経由の構成の場合、無線公衆回線の基地局の圏外であることを利用する。また、アクセスポイント経由の場合の、アクセスポイントと他の情報処理装置の接続、および無線公衆回線経由の場合の、他の情報処理装置と公衆回線の接続は、無線、有線のいずれの構成も可能である。
【００９５】
以上の本実施の形態１〜３では、位置情報の取得にＧＰＳを使ったが、代わりに携帯電話やＰＨＳの基地局との更新を利用した位置の取得方法を用いてもかまわない。
【００９６】
また、加速度センサ、振動センサおよび傾きセンサを用いたが、それらの内の一つあるいは二つを用いた構成も可能である。
【００９７】
【発明の効果】
以上、詳述したように、本発明によれば携帯情報機器が盗難・紛失等にあった場合でも、その状況が判断でき、可能な限りのデータの退避によるデータ保護とデータの消去による機密保持が可能になる。また、ワイヤレスディスプレイＰＣや無線リモコン付き機器等、機器本体を離れた位置から操作する形態で使用している状態で、本体側が盗難・紛失等にあった場合でも、可能な限りのデータの退避によるデータ保護とデータの消去による機密保持が可能になる。
【図面の簡単な説明】
【図１】本発明の実施の形態１の携帯情報機器の概略ブロック図
【図２】本発明の実施の形態１の携帯情報機器の構成を示すブロック図
【図３】本発明の実施の形態１の携帯情報機器の処理を表すフローチャート
【図４】本発明の実施の形態２のワイヤレスディスプレイＰＣの構成を示すブロック図
【図５】本発明の実施の形態２のワイヤレスディスプレイＰＣの外観を示す図
【図６】本発明の実施の形態２のワイヤレスディスプレイＰＣの処理を表すフローチャート
【図７】本発明の実施の形態３の携帯情報機器の構成を示すブロック図
【図８】本発明の実施の形態３の携帯情報機器の外観を示す図
【符号の説明】
１０１  処理手段
１０２  記憶手段
１０３  無線通信手段
１０４  状況検出手段
２０１  ＣＰＵ
２０２  メモリ
２０３  ２次記憶
２０４  無線部
２０５，４０７，７０８  センサ
２０６  ＧＰＳ
４０１  データ処理装置
４０２  画像表示装置
４０３  ＣＰＵ（データ処理装置側）
４０４  メモリ（データ処理装置側）
４０５  ２次記憶（データ処理装置側）
４０６  無線部（データ処理装置側）
４０８  ＧＰＳ（データ処理装置側）
４０９  ＣＰＵ（画像表示装置側）
４１０  メモリ（画像表示装置側）
４１１  ２次記憶（画像表示装置側）
４１２  無線部（画像表示装置側）
４１３，７１３  入力部
４１４  表示部
４１５  ＧＰＳ（画像表示装置側）
５０４，８０４  操作ボタン
５０５  タッチパネル
７０１  本体装置
７０２  携帯型操作装置
７０３  ＣＰＵ（本体装置側）
７０４  メモリ（本体装置側）
７０５  ２次記憶
７０６  無線部（携帯型操作装置との通信用）
７０７  無線部（他の情報処理装置との通信用）
７０９  ＧＰＳ（本体装置側）
７１０  ＣＰＵ（携帯型操作装置側）
７１１  メモリ（携帯型操作装置側）
７１２  無線部（携帯型操作装置側）
７１４  表示部（携帯型操作装置側）
８０１  リモコン
８０２  小型ＰＣ本体
８０３  ＬＣＤ
【図１】
0004534378.tif 000002
【図２】
0004534378.tif 000003
【図３】
0004534378.tif 000004
【図４】
0004534378.tif 000005
【図５】
0004534378.tif 000006
【図６】
0004534378.tif 000007
【図７】
0004534378.tif 000008
【図８】
0004534378.tif 000009